(57)【要約】【課題】  フイルムキャリアを低コスト化するとともに、その取り扱いを容易にする。【解決手段】  搬送ローラ４２の駆動源としての搬送モータ２５は、画像読取装置本体１０ａに配置されている。第１のタイミングベルト３０は、搬送モータ２５の駆動軸と駆動伝達プーリー２８とに架けられ、第２のタイミングベルト４７は、各搬送ローラ４２に架けられている。フイルムキャリア１２を装着部２４に完全に装着すると、駆動伝達プーリー２８と第２のタイミングベルト４７とが係合して、搬送モータ２５の駆動力が各搬送ローラ４２に伝達可能になる。このように、フイルムキャリア１２から搬送モータ２５を取り除いて、キャリア本体の軽量化及び小型化を図るとともに、タイミングベルトを用いて駆動力の伝達を行うことで、キャリア内の配線を簡素化することができる。【選択図】        図３
2005145678.tif 000002
【特許請求の範囲】
【請求項１】
写真フイルムに記録された画像コマに対して読取光を照射する光源部と、前記画像コマの画像の光学像を撮像して画像データを生成する撮像手段と、前記光学像を前記撮像手段に結像させる結像レンズとを備えた装置本体と、
前記装置本体に着脱自在に装着され、搬送路に沿って前記写真フイルムを搬送する複数の搬送ローラを有するフイルムキャリアとを備えた画像読取装置において、
前記搬送ローラを駆動するための駆動源を前記装置本体に配置することを特徴とする画像読取装置。
【請求項２】
前記装置本体は、前記駆動源からの駆動力を前記搬送ローラに伝達する、第１のタイミングベルトと駆動伝達プーリーとを有することを特徴とする請求項１記載の画像読取装置。
【請求項３】
前記フイルムキャリアは、前記装置本体に完全に装着された装着位置と、前記装着位置に未完全に装着された未装着位置との間で移動可能であり、
前記搬送ローラが連動するようにその搬送ローラに架けられた第２のタイミングベルトを備え、
前記フイルムキャリアが前記装着位置に移動するときに、前記駆動伝達プーリーの歯が前記第２のタイミングベルトに係合し、前記駆動源からの駆動力が前記搬送ローラに伝達されることを特徴とする請求項２記載の画像読取装置。
【請求項４】
前記駆動伝達プーリーが前記第２のタイミングベルトに係合したときに、前記フイルムキャリアに発生するトルクを低減するフイルムキャリア固定手段を設けることを特徴とする請求項３記載の画像読取装置。
【請求項５】
前記駆動伝達プーリーが前記第２のタイミングベルトに係合したときに、前記フイルムキャリアの位置ずれを補正する画像補正手段を備えたことを特徴とする請求項３または４に記載の画像読取装置。
【請求項６】
前記フイルムキャリアから前記装置本体への情報伝達を無線により行うことを特徴とする請求項１記載の画像読取装置。
【請求項７】
前記フイルムキャリアを前記装着位置にロックするためのロック機構を設けることを特徴とする請求項１記載の画像読取装置。
【請求項８】
写真フイルムに記録された画像コマに対して読取光を照射する光源部と、前記画像コマの画像の光学像を撮像して画像データを生成する撮像手段と、前記光学像を前記撮像手段に結像させる結像レンズとを備えた画像読取装置に着脱自在に装着され、搬送路に沿って前記写真フイルムを搬送する複数の搬送ローラを有するキャリアベースを備えたフイルムキャリアにおいて、
前記画像読取装置に設けた駆動源からの駆動力を前記搬送ローラに伝達する第２のタイミングベルトを有することを特徴とするフイルムキャリア。
【請求項９】
前記第２のタイミングベルトは、前記搬送ローラが連動するようにその搬送ローラに架けられることを特徴とする請求項８記載のフイルムキャリア。
【請求項１０】
前記画像読取装置は、前記駆動源からの駆動力を前記第２のタイミングベルトに伝達する、第１のタイミングベルトと駆動伝達プーリーとを備え、
前記キャリアベースは、前記画像読取装置に完全に装着された装着位置と、前記装着位置に未完全に装着された未装着位置との間で移動可能であり、
前記キャリアベースが前記装着位置に移動するときに、前記駆動伝達プーリーの歯が前記第２のタイミングベルトに係合し、前記駆動源からの駆動力が前記搬送ローラに伝達されることを特徴とする請求項９記載のフイルムキャリア。
【請求項１１】
前記画像読取装置への装着前及び装着後で、前記第２のタイミングベルトのテンションを一定にするテンション保持手段を設けたことを特徴とする請求項９または１０に記載のフイルムキャリア。
【発明の詳細な説明】
【技術分野】
【０００１】
本発明は、写真フイルムに記録された画像を読取位置へと搬送するフイルムキャリアと、このフイルムキャリアを用いて、フイルム画像の読み取りを行う画像読取装置に関する。
【背景技術】
【０００２】
【特許文献１】特開２００１−５６９１５号公報
【０００３】
写真フイルムに記録されている画像コマを光電的に読み取ってデジタルの画像データを生成した後、この画像データに基づいて強度変調された記録光で感光性記録紙に画像を露光し、現像・乾燥処理を行ってプリント写真を生成するデジタルプリントシステムが広く普及している。このデジタルプリントシステムでは、画像コマの読み取りを行う際には、フイルムキャリアを用いて各コマを読取光軸に順次に搬送する。フイルムキャリアには、写真フイルムをニップして搬送するフイルム搬送ローラを内蔵した搬送路が形成されており、その搬送路上の所定位置に読取光軸がある。フイルム搬送ローラを駆動するモータ等の駆動装置は、例えば、特許文献１の公報に記載のフイルムキャリアのように、フイルムキャリア内に設けられている。
【発明の開示】
【発明が解決しようとする課題】
【０００４】
ところで、読み取りの対象となる写真フイルムとしては、１３５タイプ、ＡＰＳ（ＩＸ２４０）タイプの写真フイルムの他に、１１０タイプ、１２０や２２０タイプ等がある。これらの写真フイルムの画像コマの読み取りには、写真フイルム専用のフイルムキャリアを用いることになる。このため、各フイルムキャリア毎に駆動装置を配置しなければならず、コスト高になるという問題がある。
【０００５】
また、各フイルムキャリア毎に駆動装置を配置することは、それぞれのフイルムキャリアの重量及びサイズを増大させている。このため、複数の種類の写真フイルムが混在する状況で画像コマの読み取りを行う場合には、駆動装置分の重量及び体積を有したフイルムキャリアを頻繁に交換しなければならず、作業性が悪いという問題がある。
【０００６】
本発明は、上記問題を解決するものであり、低コストであり、取り扱いが容易になるフイルムキャリアと、このフイルムキャリアを用いて写真フイルムに記録された画像を読み取る画像読取装置を提供することを目的とする。
【課題を解決するための手段】
【０００７】
上記目的を達成するために、本発明の画像読取装置は、装置本体に着脱自在に装着されるフイルムキャリアの搬送路に設けた搬送ローラを駆動するための駆動源を、装置本体に配置することを特徴とする。装置本体は、駆動源からの駆動力を搬送ローラに伝達する、第１のタイミングベルトと駆動伝達プーリーとを有し、フイルムキャリアは、搬送ローラが連動するようにその搬送ローラに架けられた第２のタイミングベルトを備えることが好ましい。これにより、フイルムキャリアが装置本体に装着されると、駆動伝達プーリーの歯が第２タイミングベルトに係合し、駆動源からの駆動力が搬送ローラに伝達される。
【０００８】
本発明のフイルムキャリアは、画像読取装置に着脱自在に装着され、その画像読取装置に設けた駆動源からの駆動力を搬送ローラに伝達する第２のタイミングベルトを有することを特徴とする。第２のタイミングベルトは、搬送路に設けた搬送ローラが連動するようにその搬送ローラに架けられる。画像読取装置が駆動源からの駆動力を第２のタイミングベルトに伝達する、第１のタイミングベルトと駆動伝達プーリーとを備える場合、キャリアベースが画像読取装置に装着されると、駆動伝達プーリーの歯が第２タイミングベルトに係合し、駆動源からの駆動力が搬送ローラに伝達される。
【発明の効果】
【０００９】
本発明によれば、フイルムキャリアに設けた搬送ローラを駆動するための駆動源を画像読取装置本体に配置するので、各フイルムキャリア毎に駆動源を配置する必要がないから、フイルムキャリアを低コストに提供することができる。そして、フイルムキャリアの重量が軽減されるとともに、コンパクトなフイルムキャリアを構成できるから、取り扱いが容易になる。
【００１０】
また、フイルムキャリアを画像読取装置本体に装着するだけで、駆動伝達プーリーが第２のタイミングベルトに係合し、駆動源の駆動力が搬送ローラに伝達されるようにすれば、配線の接続が不要であり、取り扱いがさらに容易になる。
【発明を実施するための最良の形態】
【００１１】
デジタルプリントシステムは、写真フイルムに記録された画像を光電的に読み取って画像データを生成する画像読取装置と、レーザプリンタ及びプロセサを備えるプリンタプロセサとから構成される。図１に示すように、画像読取装置１０は、写真フイルム１１を支持して矢印Ａの方向に搬送するフイルムキャリア１２と、写真フイルム１１に読取光を照射する光源部１３と、写真フイルム１１を通過した読取光を検出する読取部１４とから構成される。
【００１２】
光源部１３には、ハロゲンランプやメタルハライドランプ等からなるランプ１５が備えられ、ＩＲカットフィルタ１６、絞り板１７、光拡散ボックス１８が、光軸Ｌに沿って順に配置されている。ランプ１５の周囲にはリフレクタ１９が設けられ、ランプ１５で発せられた読取光を写真フイルム１１へ向けて反射する。なお、ランプ１５の代わりにＬＥＤ等の発光素子を用いることもできる。ランプ１５からの読取光は絞り板１７においてその光量が調節され、さらに光拡散ボックス１８によって均一な読取光として写真フイルム１１に記録された画像コマ１１ａに照射される。
【００１３】
読取部１４には、結像レンズユニット２０、ＣＣＤイメージセンサ２１が備えられている。結像レンズユニット２０及びＣＣＤイメージセンサ２１は、写真フイルム１１を挟んで光源部１３と反対側に、光軸Ｌに沿って順に配置されている。結像レンズユニット２０は、写真フイルム１１の画像コマ１１ａを透過した読取光をＣＣＤイメージセンサ２１の受光面に結像させる。図１では結像レンズユニット２０は、単一のレンズのみを示しているが、複数枚のズームレンズ等であっても良い。また、結像レンズユニット２０は、図示しないレンズモータによって光軸Ｌに沿って移動自在に構成されており、これによりピント調整が行われる。
【００１４】
ＣＣＤイメージセンサ２１は、二次元状に並べられたＲ，Ｇ，Ｂ用受光素子を有しており、写真フイルム１１を通過した読取光を光電変換して画像信号を生成する。この画像信号は画像処理回路２２へ送られ、種々の信号処理及びＡ／Ｄ変換が施され、画像データとしてプリンタプロセサ２３に出力される。
【００１５】
図２及び図３は、画像読取装置１０の全体構成の概略を示す正面図である。装置本体１０ａには装着部２４が形成されており、この装着部２４にフイルムキャリア１２が着脱自在にセットされる。なお、図２は、フイルムキャリア１２が完全に装着されていない未装着位置にある状態を示し、図３は、フイルムキャリア１２が完全に装着された装着位置にある状態を示すものである。フイルムキャリア１２の側面には、掴み部５５（図４参照）が取り付けられており、この掴み部５５を操作することにより、フイルムキャリア１２を未装着位置と装着位置との間でスライド移動させる。
【００１６】
装着部２４の右方には、フイルム収納部３６が設けられている。フイルム収納部３６は、画像コマ１１ａの読み取りが完了した写真フイルム１１を一時的に収納するものであり、巻き取りローラ３７、巻き取りモータ３８、図示しない伝達ギア等からなる。巻き取りモータ３８の駆動力は、伝達ギアを介して巻き取りローラ３７に伝達され、巻き取りローラ３７を回転させる。このフイルム収納部３６は、各種写真フイルムに対応可能であり、写真フイルム１１に応じて巻き取り速度が適宜切り換わるように巻き取りモータ３８が駆動制御される。これにより、写真フイルム１１に適当なテンションを付与しながら画像コマ１１ａを巻き取り、巻き取りの時のジャムの発生を防止している。
【００１７】
装着部２４の下方には、光源部１３が配置され、フイルムキャリア１２内の写真フイルム１１を照明する。装着部２４の上方には、結像レンズユニット２０及びＣＣＤイメージセンサ２１を有する読取部１４が配置されている。装着部２４の上面及び底面には、光軸Ｌに対応する部分、すなわち画像コマ１１ａの画像を読み取る読取位置に、開口２４ａ，２４ｂが形成されている。また、装着部２４の底面には、開口２４ｃが形成されている。これは、フイルムキャリア１２が未装着位置にある時、フイルム搬送機構の一部が装着部２４に入り込むためのものである。
【００１８】
さらに、装着部２４の下方には、後述するフイルム搬送機構の構成要素である搬送モータ２５及び駆動レバー２６等が設けられている。駆動レバー２６は、取付軸２６ａにより回動自在に取り付けられている。駆動レバー２６の一端には、クッションローラ２７が、他端には、駆動伝達プーリー２８が設けられている。フイルムキャリア１２が装着位置に向けて移動する際に、クッションローラ２７が図中下方へ押し下げられ、矢印Ｂの方向に駆動レバー２６が回動するとともに、駆動伝達プーリー２８が上昇し、装着部２４に入り込む（図３参照）。
【００１９】
駆動伝達プーリー２８には、圧縮バネ２９が取り付けられている。この圧縮バネ２９の付勢により、駆動レバー２６の回動が制止され、駆動伝達プーリー２８が装着部２４の下方で待機する位置（図２参照）に保持されている。駆動伝達プーリー２８のシャフト２８ａと、搬送モータ２５の駆動軸２５ａとには、タイミングベルト３０が架けられている。フイルムキャリア１２では、写真フイルム１１の各画像コマ１１ａを順次に搬送し、読取位置に停止させる精度が要求される。したがって、駆動伝達手段としてタイミングベルトを採用することが好ましい。
【００２０】
フイルムキャリア１２は、写真フイルム１１の種類毎に用意されており、例えば、１３５タイプの写真フイルム（１３５フイルム）用や、ＩＸ２４０タイプの写真フイルム（ＡＰＳフイルム）用等がある。図４に示すように、フイルムキャリア１２は、キャリアベース３１及びカバー３２から構成されている。カバー３２は、図示しない回動軸を介して開閉自在にキャリアベース３１に取り付けられており、使用時には、搬送ローラ等の内部機構を覆い隠すようにカバー３２が閉じ位置（図１に示す位置）にあり、メンテナンス時には、内部機構が露呈するようにカバー３２が開放位置（図４に示す位置）にある。
【００２１】
カバー３２には、フイルムキャリア１２の種類を識別するためのキャリア識別タグ３３が埋め込まれている。キャリア識別タグ３３は、周知の無線タグであり、ＩＣメモリチップ（図示せず）と、このＩＣメモリチップにアクセス可能に電磁波を送受信するアンテナ部（図示せず）とから構成される。ＩＣメモリチップには、１３５フイルムやＡＰＳフイルム等のセット可能な写真フイルム１１を表す情報が記憶されている。このＩＣメモリチップの情報から、例えば、写真フイルムを間欠搬送する際の送り量が求められ、これが搬送モータ２５及び巻き取りモータ３８の駆動制御に用いられる。
【００２２】
装置本体１０ａには、読取部３４（図２，図３参照）が設けられている。読取部３４は、キャリア識別タグ３３との間で電磁波を送受信することにより、ＩＣメモリチップにアクセスし、セット可能な写真フイルム情報を読み取る。ＩＣメモリチップの情報を読み取る場合等、キャリア識別タグ３３を動作させるための電力は、読取部３４から送信される電磁波から供給されるため、キャリア識別タグ３３には電力供給部が不要である。
【００２３】
フイルムキャリア１２の種類識別方法としては、上記無線タグによる情報通信に限定されない。例えば、フイルムキャリア１２の外壁、及び装着部２４に複数の端子を設け、フイルムキャリア１２が装着部２４にセットされると、対応する端子が接触して通電するようにしても良い。また、フイルムキャリア１２に穴を設け、装着部２４へのセット時に、この穴を、装置本体１０ａに設けた反射型フォトセンサで検出しても良い。さらには、フイルムキャリア１２に突起を取り付け、装着部２４へのセット時に、装置本体１０ａに設けたマイクロスイッチが押圧されるようにしても良い。
【００２４】
フイルムキャリア１２には、一端部にフイルム挿入口１２ａが、他端部にはフイルム排出口１２ｂが形成されている。フイルム挿入口１２ａの近傍には、写真フイルム１１の先端を検出する先端検出センサ３５が設けられている。この先端検出センサ３５は、キャリア識別タグ３３と同様にアンテナ部を内蔵しており、読取部３４との間で無線交信することにより、写真フイルム１１の先端の検出を行う。写真フイルム１１の先端を検出した場合、その検出信号を読取部３４に送信する。
【００２５】
フイルム挿入口１２ａとフイルム排出口１２ｂとの間には、セットされる写真フイルム１１の幅寸法に対応するフイルム搬送路３９が、キャリアベース３１とカバー３２との間に形成されている。フイルム搬送路３９の所定位置には、写真フイルム１１の画像コマ１１ａを読み取るための開口１２ｃ，１２ｄが、キャリアベース３１及びカバー３２に形成されている。キャリアベース３１の開口１２ｃは、カバー３２の開口１２ｄより写真フイルム１１の幅方向に大きく形成される。これは、フイルムキャリア１２が装置本体１０ａにセットされる時に、フイルム搬送機構の一部であり、装置本体１０ａに設けられた駆動レバー２６がフイルムキャリア１２内に入り込むことを可能にしている。
【００２６】
写真フイルム１１は、フイルム搬送機構よって１コマずつ間欠搬送される。図２及び図３において、フイルム搬送機構は、搬送ローラ４２、ニップローラ４３、搬送モータ２５、駆動レバー２６等から構成されている。搬送ローラ４２は、キャリアベース３１に回転自在に組み込まれており、その上部がフイルム搬送路３９に露呈されている。各搬送ローラ４２は、それぞれ写真フイルム１１の側縁部に対向して配置され、シャフト４４で連結されている。シャフト４４の間には、テンション軸４５とテンションプーリー４６とが配置され、各テンション軸４５、テンションプーリー４６及び各シャフト４４には、タイミングベルト４７が架けられている。テンションプーリー４６には、圧縮バネ４８が取り付けられている。この圧縮バネ４８の付勢により、タイミングベルト４７のテンションが張られた状態を保持している。
【００２７】
ニップローラ４３は、カバー３２に回転自在に組み込まれており、その下部がフイルム搬送路３９に露呈されている。各ニップローラ４３は、各搬送ローラ４２に対向して配置され、写真フイルム１１の側縁部を各搬送ローラ４２との間で狭持する。
【００２８】
本実施形態では、写真フイルム１１を搬送する動力源である搬送モータ２５を装置本体１０ａに配置し、装置本体１０ａ側からフイルムキャリア１２に動力の伝達を行う。この動力によって搬送ローラ４２が回転され、写真フイルム１１が搬送される。図２において、フイルムキャリア１２が未装着位置にある時、テンション軸４５のうちキャリアベース３１の開口１２ｃの上方に位置するテンション軸４５ａ，４５ｂによって支持されるタイミングベルト４７は、フイルムキャリア１２の底面と平行になっている。フイルムキャリア１２を矢印Ｃの方向にスライドすると、駆動レバー２６のクッションローラ２７が押し下げられ、この反動によって駆動レバー２６が回動し、駆動伝達プーリー２８が上昇される。図３において、フイルムキャリア１２が装着位置にある時、テンション軸４５ａ，４５ｂの間のタイミングベルト４７は、駆動伝達プーリー２８によって上方に押し上げられ、駆動伝達プーリー２８の歯がタイミングベルト４７に係合した状態となる。この時、テンションプーリー４６が右方向に移動して、タイミングベルト４７のテンションを一定に保持する。この後、駆動モータ２５が駆動されると、その駆動力が、タイミングベルト３０、駆動伝達プーリー２８、タイミングベルト４７を介して各搬送ローラ４２に伝達され、各搬送ローラ４２を回転させる。このように、フイルム搬送のための動力を画像読取装置１０に配置するから、フイルムキャリア１２の重量を軽減するとともに、そのサイズを小型化することができる。また、タイミングベルトを用いて動力の伝達を行うから、フイルムキャリア１２内の配線を簡素化することができる。
【００２９】
本実施形態では、キャリア識別タグ３３や先端検出センサ３５は、装置本体１０ａからの無線を受信して駆動される。これにより、専用電力供給部の設置、及び、装置本体１０ａとの配線接続が不要となるから、フイルムキャリア１２のさらなる軽量化及び小型化を図ることができる。
【００３０】
本実施形態では、駆動伝達プーリー２８がタイミングベルト４７を押し上げることで光軸Ｌ方向（上方向）に生じるトルク、及び、駆動伝達プーリー２８の回転により写真フイルム１１に平行な方向（左方向）に生じるトルクによって、フイルムキャリア１２が微動する。この微動により写真フイルム１１の画像コマ１１ａが読取位置からずれることがあるため、この防止手段としてフイルムキャリア固定手段が設けられている。フイルムキャリア固定手段は、上下方向及び右方向に微動するフイルムキャリア１２を固定する。図３において、上下方向への微動を防止するフイルムキャリア固定手段として、装着部２４の上面には、押さえローラ付き圧縮バネ４９が取り付けられている。押さえローラ付き圧縮バネ４９のバネ５０の付勢により、押さえローラ５１がフイルムキャリア１２の上面に押し付けられ、フイルムキャリア１２が装着部２４の底面に接するように固定される。押さえローラ付き圧縮バネ４９の配置位置は、装着部２４の底面であっても良く、この場合、フイルムキャリア１２が装着部２４の上面に接するように固定される。
【００３１】
右方向への微動を防止するフイルムキャリア固定手段として、装着部２４の右内壁にも、前記押さえローラ付き圧縮バネ４９と同様に構成される、押さえローラ付き圧縮バネ５２が取り付けられている。押さえローラ付き圧縮バネ５２のバネ５３の付勢により、押さえローラ５４がフイルムキャリア１２の右面に押し付けられ、フイルムキャリア１２の右側面と、装着部２４の右壁とが所定の間隔に保持されるようにしている。
【００３２】
フイルムキャリア１２の左方向への微動は、後述するロック機構を利用することで防止できるが、上下方向及び右方向の微動を防止するのと同様に押さえローラ付き圧縮バネを用いても良い。この場合、装着部２４には、押さえローラ付き圧縮バネを取り付けるための左壁が必要となる。この左壁は、フイルムキャリア１２の装着部２４への挿入を妨げることがないように、例えば、開閉自在に装置本体１０ａに取り付けられる。
【００３３】
さらに、上記フイルムキャリア１２の微動により画像コマ１１ａが読取位置から微小にずれ、画像コマ１１ａの中心位置と、読取中心位置とが一致しないことがある。そこで、ＣＣＤイメージセンサ２１によって読み取られた画像コマの画像補正を行う。図５に示すように、カバー３２に形成された開口１２ｄの周囲には、フイルムキャリア１２が装着位置にある時に光軸Ｌと一致するように予め設定された基準マークＩが設けられている。ＣＣＤイメージセンサ２１は、この基準マークＩを画像コマ６０とともに読み取り、画像処理回路２２に送る。画像処理回路２２は、種々の信号処理及びＡ／Ｄ変換を行うとともに、基準マークＩの検出位置に基づいて画像コマ６０の中心位置を補正する。中心位置が補正された画像コマ６０は、画像データとしてプリンタプロセサ２３に出力される。このような画像補正の他に、基準マークＩの検出位置に基づいて搬送モータ２５の駆動を制御し、画像コマを読取位置に合わせるようにしても良い。
【００３４】
以下、本実施形態の作用について説明する。写真フイルム１１の読み取りを行う際には、まず、写真フイルム１１の種類に合わせてフイルムキャリア１２を選択する。そして、選択したフイルムキャリア１２を装着位置にセットするために、これを装着部２４の奥に向けてスライドさせる。この時、フイルムキャリア１２の右側面によってクッションローラ２７が押し下げられ、その反動で駆動レバー２６が回動し、駆動伝達プーリー２８がフイルムキャリア１２内のタイミングベルト４７を押し上げ、駆動伝達プーリー２８の歯がタイミングベルト４７に係合した状態になる。この後、フイルム挿入口１２ａから写真フイルム１１が挿入されると、先端検出センサ３５が写真フイルム１１の先端を検知する。写真フイルム１１の先端が検知されると、搬送モータ２５が回転し、タイミングベルト３０、駆動伝達プーリー２８、タイミングベルト４７を介して各搬送ローラ４２に駆動力が伝達され、各搬送ローラ４２によってフイルム送りが開始される。写真フイルム１１の画像コマ１１ａが読取位置に位置決めされると、ＣＣＤイメージセンサ２１によって画像コマ１１ａ及び基準マークＩの読み取りが行われる。この後、画像処理回路２２によって基準マークＩの検出位置に基づいて画像コマ１１ａの中央位置が補正され、画像コマ１１ａの画像データがプリンタプロセサ２３に出力される。
【００３５】
読み取り済みの画像コマ１１ａは、フイルム排出口１２ｂを通過してフイルム収納部３６に達すると、巻き取りローラ３６によって順次に層状に巻き取られていく。所定の画像コマ１１ａの読み取りが完了すると、写真フイルム１１は、フイルム収納部３６からフイルム挿入口１２ａに向かって搬送される。
【００３６】
上記実施形態によれば、フイルム搬送のための動力をフイルムキャリア１２の下方に配置しているが、図６及び図７の例に示すように、フイルムキャリア７７の右側方に動力源としての搬送モータ７１を配置しても良い。この例では、搬送モータ７１と装着部７６との間には、テンション軸７２とテンションプーリー７３とが上下方向に配置され、テンション軸７２、テンションプーリー７３、及び搬送モータ７１の駆動軸７１ａには、タイミングベルト７５が架けられている。テンションプーリー７３には、圧縮バネ７４が取り付けられている。
【００３７】
フイルムキャリア７７には、図２及び図３の例で示されたフイルムキャリア１２と同様に、搬送ローラ７８、ニップローラ７９、テンション軸８０及びテンションプーリー８１が配置されている。テンションプーリー８１には、圧縮バネ８２が取り付けられている。フイルムキャリア７７の右側面には、駆動伝達プーリー８３が回転自在に取り付けられている。この駆動伝達プーリー８３、各搬送ローラ７８のシャフト８４、テンション軸８０及びテンションプーリー８１には、タイミングベルト８５が架けられている。
【００３８】
図６において、フイルムキャリア７７が装着位置にある時、テンション軸７２とテンションプーリー７３との間のタイミングベルト７５は、まっすぐに伸びた状態となっている。フイルムキャリア７７をタイミングベルト７５に向けてスライドしていくと、駆動伝達プーリー８３がテンション軸７２とテンションプーリー７３との間のタイミングベルト７５に達する。さらに、図７に示す装着位置にスライドした時、このタイミングベルト７５は、駆動伝達プーリー８３によって右方に押し進められた状態となる。搬送モータ７１の駆動力は、タイミングベルト７５、駆動伝達プーリー８３、タイミングベルト８５を介して各搬送ローラ７８に伝達され、各搬送ローラ７８を回転させる。この実施例でも、上下方向及び右方向に生じるトルクを打ち消すためのローラ付き圧縮バネを設けても良い。
【００３９】
上記実施形態によれば、フイルム収納部３６を装置本体１０ａに配置したが、図８の例に示すように、フイルムキャリア内に配置しても良い。この例では、フイルム収納部９５は、キャリアベース９１に設けられ、搬送ローラ９６が搬送路９９より下方に配置されている。
【００４０】
上記実施形態では、１つの搬送路を有するフイルムキャリア１２を用いて説明したが、２つの搬送路を有するフイルムキャリアに適用しても良い。
【００４１】
上記実施形態では、特に触れなかったが、フイルムキャリア１２，７７を確実に画像読取装置１０，７０に固定するためのロック機構を設けることが好ましい。図９に示すように、ロック機構は、ソレノイド１０１及び鉄片１０２からなる。ソレノイド１０１は、装置本体１０ａ側に設けられ、装着部２４の右壁に配置されている。鉄片１０２は、フイルムキャリア１２の右側面に取り付けられ、装着位置（図中破線）でソレノイド１０１に対面するように配置されている。ソレノイド１０１は、鉄心（図示せず）と、この鉄心に巻き付けられたコイル（図示せず）とから形成されている。ソレノイド１０１は、コントローラ１０３の制御によってコイルの通電が行われ、鉄心が磁力を発生することにより、鉄心に鉄片１０２を吸引する。これにより、フイルムキャリア１２が確実に装着位置に固定されるロック状態となる。
【００４２】
装置本体１０ａには、フイルムキャリア１２がロック状態にあることを表示するロック確認ランプ１０５が設けられている。コントローラ１０３は、ソレノイド１０１のコイルの通電を行っている時、ロック確認ランプ１０５を点灯させる。
【００４３】
フイルムキャリア１２のフイルム搬送路３９には、フイルム検出センサ１０６が設けられている。フイルム検出センサ１０６は、写真フイルム１１がフイルム搬送路３９上に残留しているか否かを検出する。写真フイルム１１が残留している場合には、検出信号を無線によってコントローラ１０３に送信する。
【００４４】
装置本体１０ａには、フイルム残留ランプ１０７が設けられている。コントローラ１０３は、通信部１０８を介してフイルム検出センサ１０６からの検出信号を受信すると、フイルム残留ランプ１０７を点灯させる。
【００４５】
図１０を用いて、ロック機構の制御方法について説明する。コントローラ１０３は、フイルムキャリア１２がロック状態にある時に、フイルム検出センサ１０６によってフイルムキャリア１２内の写真フイルム１１の残留を検出する。写真フイルム１１が残留しており、検出信号が受信した場合には、フイルム残留ランプ１０７を点灯するとともに、フイルムキャリア１２のロックを保持し、ロック確認ランプ１０５を点灯する。この時、ソレノイド１０１のコイルの通電が行われ、ソレノイド１０１に鉄片１０２が吸引される。この後、ユーザーによって掴み部５５が操作され、フイルムキャリア１２が変位された場合には、ブザー１０９から警告音が発生され、操作異常であることをユーザに知らせる。        
【００４６】
一方、写真フイルム１１がフイルムキャリア１２内に残留しておらず、フイルム検出センサ１０６からの検出信号が受信されない場合には、フイルム残留ランプ１０７を消灯するとともに、フイルムキャリア１２のロックを解除し、ロック確認ランプ１０５を消灯する。
【００４７】
上記実施形態では、ソレノイド１０１を用いてフイルムキャリア１２をロックしたが、これに限定されない。例えば、モータの駆動によって変位する係止爪を装置本体に設け、この係止爪が係合するための係合部をフイルムキャリアに設ける。コントローラは、モータを制御し、装着位置で係止爪を係合部に係合させる。これにより、フイルムキャリアを装着位置にロックする。
【００４８】
上記実施形態では、フイルムキャリア１２のロックが保持された状態で、異常操作がなされると、警告音を発生させるが、搬送モータを自動的に停止させるようにしても良い。
【図面の簡単な説明】
【００４９】
【図１】画像読取装置の構成を示す斜視図である。
【図２】画像読取装置の断面図であり、フイルムキャリアの未装着位置での状態を表す。
【図３】画像読取装置の断面図であり、フイルムキャリアの装着位置での状態を表す。
【図４】フイルムキャリアの内部を概略的に示す斜視図である。
【図５】フイルムキャリアが左方向に微動した時の読取位置の状態を示す説明図である。
【図６】駆動源の設置位置が異なる画像読取装置の断面図であり、フイルムキャリアの未装着位置での状態を表す。
【図７】駆動源の設置位置が異なる画像読取装置の断面図であり、フイルムキャリアの装着位置での状態を表す。
【図８】フイルム収納部を設けたフイルムキャリアの内部を概略的に示す斜視図である。
【図９】ロック機構を示す説明図である。
【図１０】ロック機構の制御の流れを示すフローチャートである。
【符号の説明】
【００５０】
１０  画像読取装置
１０ａ  装置本体
１１  写真フイルム
１１ａ  画像コマ
１２  フイルムキャリア
１３  光源部
２０  結像レンズユニット
２１  ＣＣＤイメージセンサ
３９  搬送路
２５  搬送モータ
３０  （第１）タイミングベルト
２８  駆動伝達プーリー
４２  搬送ローラ
４７  （第２）タイミングベルト
【図１】
2005145678.tif 000003
【図２】
2005145678.tif 000004
【図３】
2005145678.tif 000005
【図４】
2005145678.tif 000006
【図５】
2005145678.tif 000007
【図６】
2005145678.tif 000008
【図７】
2005145678.tif 000009
【図８】
2005145678.tif 000010
【図９】
2005145678.tif 000011
【図１０】
2005145678.tif 000012